(57)【要約】【課題】ワイヤハーネスの移動および回転を抑制しやすいプロテクタおよび該プロテクタの製造方法を提供する。【解決手段】底板部２にブラケット部４が設けられ、このブラケット部４の係止開口部４１によって、ワイヤハーネスに取り付けられた外装部品を係止することにより、ワイヤハーネスをプロテクタ１に対して固定することができる。このとき、ブラケット部４が延長部２１に設けられて立設壁部３Ａと隣り合うことで、プロテクタ１の端部においてワイヤハーネスを固定することができ、プロテクタの外側でワイヤハーネスを固定する構成と比較して、ワイヤハーネスの移動および回転を抑制しやすい。【選択図】図１
2018137898.tif 000002
【特許請求の範囲】
【請求項１】
底板部と一対の立設壁部とを有して樋状に形成され、ワイヤハーネスを収容するプロテクタであって、
前記底板部の長手方向の端部には、前記立設壁部と隣り合うように突出した板状のブラケット部が設けられ、
前記ブラケット部には、前記ワイヤハーネスに取り付けられた外装部品を係止する孔状の係止開口部が形成されていることを特徴とするプロテクタ。
【請求項２】
前記ブラケット部は、前記底板部と一体に形成され、
前記係止開口部は、前記底板部まで延びるとともに、基端側に向かうにしたがって開口幅が小さくならないように形成され、
前記底板部には、前記係止開口部に連続した貫通孔が形成されていることを特徴とするプロテクタ。
【請求項３】
前記底板部には、前記ブラケット部の両端縁に連なるとともに該ブラケット部に交差するように延びる板状の補強部が設けられていることを特徴とする請求項１又は２に記載のプロテクタ。
【請求項４】
前記係止開口部が長方形状に形成されていることを特徴とする請求項１〜３のいずれか１項に記載のプロテクタ。
【請求項５】
底板部と一対の立設壁部とを有して樋状に形成されてワイヤハーネスを収容するプロテクタを製造するためのプロテクタ製造方法であって、
スリット状の溝部が形成された上面形成部を有する第一型と、
先端側に向かうにしたがって幅が大きくならない板状の突起部が形成された下面形成部を有する第二型と、を用い、
前記溝部に対して前記突起部を幅方向および突出方向において内周縁に当接しないように挿入しつつ、前記上面形成部と前記下面形成部とが離隔するように前記第一型と前記第二型とを型閉じし、
前記上面形成部と前記下面形成部との間に形成された第一キャビティ部によって前記底板部を形成するとともに、前記突起部と前記溝部との間に形成された第二キャビティ部によって、前記ワイヤハーネスに取り付けられた外装部品を係止するための係止開口部を有しつつ前記底板部から突出する板状のブラケット部を、前記底板部と一体に形成することを特徴とするプロテクタ製造方法。
【発明の詳細な説明】
【技術分野】
【０００１】
本発明は、ワイヤハーネスを収容するプロテクタ及びプロテクタ製造方法に関するものである。
【背景技術】
【０００２】
一般に、車両にワイヤハーネスを配索する場合、外力が加わりやすい部分にはワイヤハーネスを保護するためのプロテクタが設けられる。このようなプロテクタとして、底壁（底板部）と一対の側壁（立設壁）とを有して樋状に形成されたものが提案されている（例えば、特許文献１参照）。特許文献１に記載されたプロテクタは、その内側にワイヤハーネスを収容して保護するとともに、内面から突出した位置決め部をワイヤハーネスのコルゲートチューブの凹溝に引っ掛けることにより、ワイヤハーネスを位置決めするように構成されている。
【先行技術文献】
【特許文献】
【０００３】
【特許文献１】特開２０１２−１４３０２７号公報
【発明の概要】
【発明が解決しようとする課題】
【０００４】
特許文献１に記載されたプロテクタのように位置決め部をコルゲートチューブの凹溝に引っ掛ける構成では、ワイヤハーネスが長手方向に移動しないように位置決めすることはできるものの、ワイヤハーネスが回転することによる捩れは防止できない。また、ワイヤハーネスのうち位置決め部に対応した部分を蛇腹状に形成しなければならず、ワイヤハーネスの種類によっては位置決めすることができない。そこで、係止突起を有するクリップ等の外装部品をワイヤハーネスに設けるとともに、車体パネルにブラケットを設け、外装部品の係止突起をブラケットに係止させることにより、ワイヤハーネスを位置決めして捩れを抑制する構成が考えられる。
【０００５】
しかしながら、プロテクタの外側においてワイヤハーネスを車体に固定する構成では、プロテクタに対してワイヤハーネスが相対的に移動したり回転したりする可能性がある。
【０００６】
本発明の目的は、ワイヤハーネスの移動および回転を抑制しやすいプロテクタおよび該プロテクタの製造方法を提供することにある。
【課題を解決するための手段】
【０００７】
前記課題を解決し目的を達成するために、請求項１に記載された発明は、底板部と一対の立設壁部とを有して樋状に形成され、ワイヤハーネスを収容するプロテクタであって、前記底板部の長手方向の端部には、前記立設壁部と隣り合うように突出した板状のブラケット部が設けられ、前記ブラケット部には、前記ワイヤハーネスに取り付けられた外装部品を係止する孔状の係止開口部が形成されていることを特徴とするプロテクタである。
【０００８】
請求項２に記載された発明は、請求項１に記載の発明において、前記ブラケット部は、前記底板部と一体に形成され、前記係止開口部は、前記底板部まで延びるとともに、基端側に向かうにしたがって開口幅が小さくならないように形成され、前記底板部には、前記係止開口部に連続した貫通孔が形成されていることを特徴とするものである。
【０００９】
請求項３に記載された発明は、請求項１又は２に記載の発明において、前記底板部には、前記ブラケット部の両端縁に連なるとともに該ブラケット部に交差するように延びる板状の補強部が設けられていることを特徴とするものである。
【００１０】
請求項４に記載された発明は、請求項１〜３のいずれか１項に記載の発明において、前記係止開口部が長方形状に形成されていることを特徴とするものである。
【００１１】
請求項５に記載された発明は、底板部と一対の立設壁部とを有して樋状に形成されてワイヤハーネスを収容するプロテクタを製造するためのプロテクタ製造方法であって、スリット状の溝部が形成された上面形成部を有する第一型と、先端側に向かうにしたがって幅が大きくならない板状の突起部が形成された下面形成部を有する第二型と、を用い、前記溝部に対して前記突起部を幅方向および突出方向において内周縁に当接しないように挿入しつつ、前記上面形成部と前記下面形成部とが離隔するように前記第一型と前記第二型とを型閉じし、前記上面形成部と前記下面形成部との間に形成された第一キャビティ部によって前記底板部を形成するとともに、前記突起部と前記溝部との間に形成された第二キャビティ部によって、前記ワイヤハーネスに取り付けられた外装部品を係止するための係止開口部を有しつつ前記底板部から突出する板状のブラケット部を、前記底板部と一体に形成することを特徴とするプロテクタ製造方法である。
【発明の効果】
【００１２】
請求項１記載の発明によれば、底板部にブラケット部が設けられ、このブラケット部の係止開口部によって、ワイヤハーネスに取り付けられた外装部品を係止することにより、ワイヤハーネスをプロテクタに対して固定することができる。このとき、ブラケット部が長手方向の端部に立設壁部と隣り合うように配置されていることで、プロテクタの端部においてワイヤハーネスを固定することができ、プロテクタの外側でワイヤハーネスを固定する構成と比較して、ワイヤハーネスの移動および回転を抑制しやすい。
【００１３】
請求項２記載の発明によれば、スリット状の溝部が形成された上面形成部を有する第一型と、先端側に向かうにしたがって幅が大きくならない板状の突起部が形成された下面形成部を有する第二型と、を用いることで、係止開口部を有する板状のブラケット部を底板部と一体に形成し、型開きすることができる。即ち、溝部に対して突起部を幅方向および突出方向において内周縁に当接しないように挿入しつつ、上面形成部と下面形成部とが離隔するように第一型と第二型とを型閉じすれば、上面形成部と下面形成部との間の第一キャビティ部によって底板部を形成するとともに、突起部と溝部との間に形成された第二キャビティ部によって係止開口部を有するブラケット部を形成することができる。
【００１４】
このとき、突起部を、先端側に向かうにしたがって幅が大きくならない形状とすることにより、ブラケット部の形成後に型開きすることができる。これにより、基端側に向かうにしたがって開口幅が小さくならない係止開口部が形成される。以上のように、第一型と第二型とによってブラケット部を底板部と一体に形成することにより、ブラケット部を設けるための製造工数を削減することができる。
【００１５】
請求項３に記載の発明によれば、補強部がブラケット部の両端縁に連なるように設けられていることで、ブラケット部の強度を向上させることができる。これにより、外装部品の係止突起を係止開口部に圧入する際にブラケット部に大きな力を加えても損傷しにくく、大きな係止力を得やすい。
【００１６】
請求項４記載の発明によれば、長方形状の係止開口部の内周縁のうち長手方向に対向する略平行な一対の辺によって、ワイヤハーネスの外装部品の係止突起を係止することができる。即ち、この一対の辺の対向方向に接離するような一対の係止アームを有する係止突起を、係止開口部に係止させることができる。
【００１７】
請求項５記載の発明によれば、上記のように、第一型と第二型とによってブラケット部を底板部と一体に形成することができ、ブラケット部を設けるための製造工数を削減することができる。
【図面の簡単な説明】
【００１８】
【図１】本発明の実施形態に係るプロテクタを示す斜視図である。
【図２】前記プロテクタを示す側面図である。
【図３】前記プロテクタの要部を拡大して示す斜視図である。
【図４】前記プロテクタのブラケット部を示す側面図である。
【図５Ａ】前記ブラケット部に係止されるワイヤハーネスの外装部品を示す斜視図である。
【図５Ｂ】前記ブラケット部によって前記外装部品を係止した様子を示す断面図である。
【図６】前記プロテクタを一対の型によって形成する様子を示す断面図である。
【図７Ａ】前記一対の型の一方を示す上面図である。
【図７Ｂ】前記一対の型の他方を示す上面図である。
【発明を実施するための形態】
【００１９】
以下、本発明の実施形態を図面に基づいて説明する。図１は、本発明の実施形態に係るプロテクタ１を示す斜視図であり、図２は、プロテクタ１を示す側面図であり、図３は、プロテクタ１の要部を拡大して示す斜視図であり、図４は、プロテクタ１のブラケット部４を示す側面図であり、図５Ａは、ブラケット部４に係止されるワイヤハーネスの外装部品２００を示す斜視図であり、図５Ｂは、ブラケット部４によって外装部品２００を係止した様子を示す断面図であり、図６は、プロテクタ１を一対の型Ｍ１、Ｍ２によって形成する様子を示す断面図であり、図７Ａは、一対の型の一方Ｍ１を示す上面図であり、図７Ｂは、一対の型の他方Ｍ２を示す上面図である。
【００２０】
本実施形態のプロテクタ１は、車両に配索されるワイヤハーネスを収容して保護するものであって、図１、２に示すように、底板部２と、一対の立設壁部３Ａ、３Ｂと、を有し、例えば絶縁性の合成樹脂によって樋状に形成されている。樋状のプロテクタ１にワイヤハーネスが収容されるとともに、底板部２に対向するようにカバー部材２０がプロテクタ１に取り付けられる（即ち、立設壁部３Ａ、３Ｂにおける底板部２と反対側の端縁にカバー部材２０が取り付けられる）ことで、プロテクタ１とカバー部材２０とによって四角筒状の筒状プロテクタ１０が構成される。
【００２１】
筒状プロテクタ１０は、搭乗者により踏み付けられたり荷物が載置されたりすることにより外力が加わる位置（例えば座席下等）に配置され、このような外力からワイヤハーネスを保護する。また、筒状プロテクタ１０は、底板部２等に形成された固定部において車体パネルに固定される。尚、筒状プロテクタ１０は、ワイヤハーネスを水平面に沿って配索するものに限定されず、ワイヤハーネスを三次元的に配索するものであってもよい。
【００２２】
底板部２は、上面２Ａ（立設壁部３Ａ、３Ｂが突出する側の面）にワイヤハーネスが載置されるものであり、ワイヤハーネスの配索形状に応じた形状を有するとともに、プロテクタ１の一端側において立設壁部３Ａ、３Ｂよりも長手方向に延長された延長部（端部）２１を有する。延長部２１のうち一方の立設壁部３Ａと隣り合う位置には、上面２Ａ側に突出した板状のブラケット部４が一体に形成されている。底板部２の上面２Ａには、ブラケット部４の両端縁に連なるとともにブラケット部４に略直交する板状の補強部５Ａ、５Ｂが一体に形成されている。
【００２３】
一対の立設壁部３Ａ、３Ｂは、底板部２の両端縁から一体に立設され、これらの間にワイヤハーネスが配置される。また、立設壁部３Ａ、３Ｂは、ワイヤハーネスの配索形状に応じて適宜に湾曲した形状を有している。
【００２４】
ブラケット部４は、図３、４にも示すように、全体として側面視長方形状に形成されるとともに、ワイヤハーネスに取り付けられた外装部品を係止する孔状の係止開口部４１が形成されている。係止開口部４１は、長方形状に形成されており、ブラケット部４の基端側（底板部２側）から先端側にかけて略一定の開口幅を有している。また、係止開口部４１は、底板部２まで延びている。
【００２５】
ワイヤハーネスに取り付けられる外装部品は、例えば図５Ａに示すような外装部品２００であって、外装部品２００は、ワイヤハーネスの外周に巻き付けられる筒状部２０１と、筒状部２０１の外側に設けられた被係止部２０２と、を有する。筒状部２０１と被係止部２０２との間には、図５Ｂに示すように、下方側（底板部２側）に向かって開口したスリット部２０３が形成されている。また、被係止部２０２は、筒状部２０１に向かって突出してスリット部２０３に位置する係止突起２０２Ａを有する。
【００２６】
外装部品２００を底板部２の面直方向に沿って筒状プロテクタ１０に近づけていき、図５Ｂに示すようにブラケット部４をスリット部２０３に収容することにより、ブラケット部４の係止開口部４１の内周縁における上縁部によって係止突起２０２Ａが係止される。
【００２７】
補強部５Ａ、５Ｂは、幅方向の中央部がブラケット部４の端縁に接続され、ブラケット部４の厚さよりも大きな幅方向寸法を有している。即ち、ブラケット部４および補強部５Ａ、５Ｂは、底板部２の板厚方向から見てＨ字状に形成されている。
【００２８】
底板部２の延長部２１には、係止開口部４１に連続した貫通孔２２が形成されている。貫通孔２２は、係止開口部４１の開口幅と同等の幅方向寸法を有するとともに、ブラケット部４の板厚以上の厚さ方向寸法を有している。即ち、底板部２を下面２Ｂ側から見た際に、係止開口部４１の内周縁が全て見えるように貫通孔２２が形成されている。
【００２９】
ここで、本実施形態のプロテクタ１を製造する方法について図６に基づいて説明する。第一型Ｍ１および第二型Ｍ２はそれぞれ金型であって、第一型Ｍ１と第二型Ｍ２とを型閉じしてキャビティに樹脂材料を流し込むことにより、プロテクタ１が成形される。尚、以下では、第一型Ｍ１および第二型Ｍ２について、底板部２とブラケット部４と補強部５Ａ、５Ｂとを成形するための部位について説明するが、第一型Ｍ１および第二型Ｍ２によって立設壁部３Ａ、３Ｂも形成されてもよいし、その他の金型も用いることで立設壁部３Ａ、３Ｂが形成されてもよい。
【００３０】
第一型Ｍ１は、底板部２の上面２Ａを形成する上面形成部Ｍ１１を有し、上面形成部Ｍ１１には、図７Ａにも示すように、ブラケット部４の高さに応じた深さを有するスリット状の溝部Ｍ１２が形成されている。溝部Ｍ１２は、図６に示すように長方形の角部が面取りされた断面形状を有している。また、上面形成部Ｍ１１には、溝部Ｍ１２の両端のそれぞれに連続した補助溝部Ｍ１３、Ｍ１４が形成され、溝部Ｍ１２および補助溝部Ｍ１３、Ｍ１４がＨ字状に形成されている。
【００３１】
第二型Ｍ２は、底板部２の下面２Ｂを形成する下面形成部Ｍ２１を有し、下面形成部Ｍ２１には、図７Ｂにも示すように、底板部２からの係止開口部４１の高さに応じた高さを有する板状の突起部Ｍ２２が形成されている。突起部Ｍ２２は、長方形状に形成され、基端側から先端側にかけて略一定の幅を有している。また、突起部Ｍ２２の厚さは、溝部Ｍ１２の短辺方向の寸法と同程度となっている。
【００３２】
溝部Ｍ１２に対して突起部Ｍ２２を、幅方向および突出方向において溝部Ｍ１２の内周縁に当接しないように挿入しつつ、上面形成部Ｍ１１と下面形成部Ｍ２１とが離隔するように第一型Ｍ１と第二型Ｍ２とを型閉じする。これにより、上面形成部Ｍ１１と下面形成部Ｍ２１との間に第一キャビティ部Ｃ１が形成されるとともに、突起部Ｍ２２と溝部Ｍ２１との間に第二キャビティ部Ｃ２が形成される。また、補助溝部Ｍ１３、Ｍ１４によって第三キャビティ部が形成される。
【００３３】
第一型Ｍ１と第二型Ｍ２とによって形成されたキャビティに樹脂材料を流し込むことにより、第一キャビティ部Ｃ１に充填された樹脂材料によって底板部２が形成され、第二キャビティ部Ｃ２に充填された樹脂材料によってブラケット部４が形成され、第三キャビティ部に充填された樹脂材料よって補強部５Ａ、５Ｂが形成される。突起部Ｍ２２が基端側から先端側にかけて略一定の幅を有していることから、樹脂材料が硬化して第一型Ｍ１と第二型Ｍ２と型開きする際に、ブラケット部４の内側から突起部Ｍ２２を引き抜くことができる。
【００３４】
溝部Ｍ１２のうち突起部Ｍ２２が挿入されていた部分が係止開口部４１となり、上面形成部Ｍ１１と下面形成部Ｍ２１との間のうち突起部Ｍ２２が存在していた部分が貫通孔２２となる。
【００３５】
このような本実施形態によれば、以下のような効果がある。即ち、底板部２にブラケット部４が設けられ、このブラケット部４の係止開口部４１によって、ワイヤハーネスに取り付けられた外装部品を係止することにより、ワイヤハーネスをプロテクタ１に対して固定することができる。このとき、ブラケット部４が延長部２１に設けられて立設壁部３Ａと隣り合うことで、プロテクタ１の端部においてワイヤハーネスを固定することができ、プロテクタの外側でワイヤハーネスを固定する構成と比較して、ワイヤハーネスの移動および回転を抑制しやすい。
【００３６】
また、係止開口部４１が底板部２まで延びるとともに略一定の開口幅を有し、底板部２に貫通孔２２が形成されていることで、第一型Ｍ１と第二型Ｍ２とを用いてブラケット部４と底板部２とを一体に形成するとともに型開きすることができ、ブラケット部４を設けるための製造工数を削減することができる。
【００３７】
また、補強部５Ａ、５Ｂがブラケット部４の両端縁に連なるように形成されていることで、ブラケット部４の強度を向上させることができる。これにより、外装部品２００の係止突起２０２Ａを係止開口部４１に圧入する際にブラケット部４に大きな力を加えても損傷しにくく、大きな係止力を得やすい。
【００３８】
また、係止開口部４１が長方形状であることで、その内周縁のうち長手方向に対向する略平行な一対の辺によって、長手方向に接離する一対の係止アームをそれぞれ係止することができる。
【００３９】
なお、本発明は、前記実施形態に限定されるものではなく、本発明の目的が達成できる他の構成等を含み、以下に示すような変形等も本発明に含まれる。
【００４０】
例えば、前記実施形態では、ブラケット部４の両端縁に補強部５Ａ、５Ｂが設けられ、ブラケット部４および補強部５Ａ、５ＢがＨ字状に形成されるものとしたが、ブラケット部および補強部は他の形状を有していてもよい。例えば、ブラケット部の端縁と補強部との端縁とが接続されることにより、一対の補強部がブラケット部の同一面側から突出する構成としてもよいし、互いに反対面側から突出する構成としてもよい。また、ブラケット部が充分な強度を有する場合には、補強部が設けられなくてもよい。ブラケット部の強度は、その厚さや高さ、幅、係止開口部の大きさ、材質等に応じて決まり、必要に応じて補強部を設ければよい。
【００４１】
また、前記実施形態では、係止開口部４１が長方形状に形成され、基端側から先端側にかけて略一定の開口幅を有しているものとしたが、係止開口部が、基端側に向かうにしたがって開口幅が小さくならないように形成されていれば、前記実施形態と同様に型開きすることができる。即ち、係止開口部は、先端側に向かうにしたがって開口幅が小さくなるように形成されていてもよいし、開口幅が略一定の部分と、先端側に向かうにしたがって小さくなる部分と、が組み合わされた形状であってもよい。係止開口部は、相手側の係止突起の形状や、ブラケット部の強度等に応じて適宜な形状を有していればよい。
【００４２】
また、前記実施形態では、ブラケット部４が底板部２と一体に形成されているものとしたが、別体に形成されたブラケット部が底板部に取り付けられてもよい。このような構成では、係止開口部は任意の形状を有していればよく（即ち、基端側に向かうにしたがって開口幅が小さくなる部分を有していてもよく）、底板部に貫通孔が形成されていなくてもよい。
【００４３】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００４４】
１          プロテクタ
２          底板部
２２        貫通孔
３Ａ、３Ｂ  立設壁部
４          ブラケット部
５Ａ、５Ｂ  補強部
Ｍ１        第一型
Ｍ１１      上面形成部
Ｍ１２      溝部
Ｍ２        第二型
Ｍ２１      下面形成部
Ｍ２２      突起部
Ｃ１        第一キャビティ部
Ｃ２        第二キャビティ部
【図１】
2018137898.tif 000003
【図２】
2018137898.tif 000004
【図３】
2018137898.tif 000005
【図４】
2018137898.tif 000006
【図５Ａ】
2018137898.tif 000007
【図５Ｂ】
2018137898.tif 000008
【図６】
2018137898.tif 000009
【図７Ａ】
2018137898.tif 000010
【図７Ｂ】
2018137898.tif 000011